(57)【要約】【課題】リテーナをロックしたときに、リテーナに組み付けていたチェッカーが離脱するようにすることにより、離脱したチェッカーをクイックコネクタの完全結合確認用チェッカーとして利用する。【解決手段】リテーナ１４がロックされたことを確認をするためのチェッカー１６を待機位置にあるリテーナ１４に一体的に組み付け、チェッカー１６といっしょにリテーナ１４を待機位置からロック位置に押し込むことによってはじめてチェッカー１６が連動してリテーナ１４から取り外されるようにする。【選択図】図１
2010078077.tif 000002
【特許請求の範囲】
【請求項１】
スプール部を有する相手方のチューブの端末が挿入されるハウジングと、前記ハウジングに開口する窓部から軸方向と直角に挿入されるリテーナとを有し、前記スプール部を前記リテーナーで拘束して前記相手方のチューブと前記ハウジングとを結合するようにしたクイックコネクタにおいて、
リテーナがロックされたのを確認をするためのチェッカーを待機位置にあるリテーナに一体的に組み付け、前記チェッカーといっしょに前記リテーナを待機位置からロック位置に押し込むことによってはじめて前記チェッカーが連動して該リテーナから取り外されることを特徴とするクイックコネクタ。
【請求項２】
前記チェッカーは、前記リテーナの頂部と着脱自在に嵌合する嵌合片を有することを特徴とする請求項１に記載のクイックコネクタ。
【請求項３】
前記チェッカーは、
前記嵌合片から前記ハウジングの外周部を挟むように延び、その先端に前記ハウジングの外周部に設けられた引掛け部に引く方向にのみ係止する係止爪を有する腕部を有し、
前記腕部には、前記ハウジングの外周部の最大外径よりも間隔の狭い直線部分が形成され、前記リテーナがロック位置に押し込まれる過程で前記係止爪の係止状態が解除されることを特徴とする請求項２に記載のクイックコネクタ。
【請求項４】
前記腕部の直線部分が前記ハウジングの外周部に当たって該腕部が押し広げられようにしたことを特徴とする請求項３に記載のクイックコネクタ。
【請求項５】
前記チェッカーは、
前記嵌合片から前記ハウジングの外周部を挟むように延び、その先端に前記ハウジングの外周部に設けられた引掛け部に引く方向にのみ係止する係止爪を有する一対の腕部を有し、
前記腕部は、前記ハウジングの外周面の輪郭に対応して湾曲した湾曲部分と、内側に凸部が形成された直線部分とからなり、前記リテーナがロック位置に押し込まれると、前記腕部は撓まずに前記係止爪の係止状態が解除され、該チェッカーを引くと前記凸部が前記ハウジングの外周部に当たって該腕部は押し広げられることを特徴とする請求項２に記載のクイックコネクタ。
【請求項６】
前記チェッカーは、
前記リテーナとの係合状態を保持する爪部を有し、
前記リテーナがロック位置に押し込まれと、前記爪部がハウジングの外周部に当接して撓み、前記リテーナとの係合状態が解除されるようにしたことを特徴とする請求項２に記載のクイックコネクタ。
【請求項７】
前記リテーナは、前記ハウジングに挿入された前記チューブのスプール部が前記リテーナと結合可能な位置を越えたことを検知する検知爪を有する結合確認部材を有し、前記ハウジングには、前記チューブが不完全に挿入されている状態では、前記結合確認部材に干渉して当該結合確認部材の押し込む方向への移動を阻止する干渉部を形成したことを特徴とする請求項１乃至６のいずれかの項に記載のクイックコネクタ。
【請求項８】
スプール部を有する相手方のチューブの端末が挿入されるハウジングと、前記ハウジングに開口する窓部から軸方向と直角に挿入されるリテーナとを有し、前記スプール部を前記リテーナーで拘束して前記相手方のチューブと前記ハウジングとを結合するようにしたクイックコネクタにおいて、
リテーナがロックされたクイックコネクタの員数確認をするための員数チェッカーを待機位置にあるリテーナに一体的に組み付け、前記チェッカーといっしょに前記リテーナを待機位置からロック位置に押し込むことによってはじめて前記員数チェッカーが連動して該リテーナから取り外されることを特徴とするクイックコネクタ。
【発明の詳細な説明】
【技術分野】
【０００１】
本発明は、クイックコネクタに係り、特に、自動車の燃料配管などでチューブ同士を接続するクイックコネクタに関する。
【背景技術】
【０００２】
自動車の燃料配管では、チューブを接続する管継手としてクイックコネクタが広く用いられている。このクイックコネクタは一方のチューブに取り付けられる。他方の接続すべき相手方のチューブはクイックコネクターのハウジングに挿入される。そして、リテーナを押し込むことで、ボルト等の締結要素を用いることなく、ワンタッチでチューブ同士を接続することができる。
【０００３】
この種のクイックコネクタでは、しばしばリテーナの方を先に押し込んでしまうことがある。その場合、ハウジングにチューブを挿入しても、不完全結合の状態となる。クイックコネクタとチューブとが不完全結合状態になっていても、外見上は完全に結合した状態と区別できない。
【０００４】
そこで、本出願人は、リテーナとは別に、プルタブ形式の結合確認組立体を利用し、相手方のチューブを完全結合位置まで挿入しリテーナと結合されないかぎり、簡単には結合確認組立体を取り外せない構造としたクイックコネクタを提案している（特許文献１）。
【０００５】
さらに、本出願人は、不完全結合状態が生じるのをなくすために、完全結合を確認できるようにする部材をリテーナと一体構造としたクイックコネクタを提案している（特許文献２、その改良として特許文献３）。このクイックコネクタでは、相手方のチューブをクイックコネクタのハウジングに挿入すると、チューブのスプール部がリテーナと結合可能な位置を越えない限り安全確認部材によってリテーナの押し込みが不可能とされている。
【特許文献１】特開平１１−２３０４５６号公報
【特許文献２】特開２００５−１７２１６１号公報
【特許文献３】特開２００６−１１２５５４号公報
【発明の開示】
【発明が解決しようとする課題】
【０００６】
特許文献２、特許文献３に開示されているクイックコネクタでは、完全結合の場合にだけリテーナをロックできるので、完全結合状態を目視で確認することができる。しかし実際の生産現場では、不完全結合がないことを厳重にチェックする必要があり、もっぱら目視による確認では、見落としの可能性を完全には除去できないおそれがある。
【０００７】
そこで、本発明の目的は、前記従来技術の有する問題点を解消し、完全結合状態でリテーナをロックしたときに、リテーナに組み付けていた部材が離脱するようにすることにより、離脱した部材を、完全結合にロックしたことを確認するチェッカーとして利用したり、あるいは、ロックしたクイックコネクタの員数管理用のチェッカーとして利用することでき、不完全結合の有無を確実にチェックできるようにしたクイックコネクタを提供することにある。
【課題を解決するための手段】
【０００８】
前記の目的を達成するために、本発明は、スプール部を有する相手方のチューブの端末が挿入されるハウジングと、前記ハウジングに開口する窓部から軸方向と直角に挿入されるリテーナとを有し、前記スプール部を前記リテーナーで拘束して前記相手方のチューブと前記ハウジングとを結合するようにしたクイックコネクタにおいて、リテーナがロックされたのを確認をするためのチェッカーを待機位置にあるリテーナに一体的に組み付け、前記チェッカーといっしょに前記リテーナを待機位置からロック位置に押し込むことによってはじめて前記チェッカーが連動して該リテーナから取り外されることを特徴とするものである。
【０００９】
また、本発明は、スプール部を有する相手方のチューブの端末が挿入されるハウジングと、前記ハウジングに開口する窓部から軸方向と直角に挿入されるリテーナとを有し、前記スプール部を前記リテーナーで拘束して前記相手方のチューブと前記ハウジングとを結合するようにしたクイックコネクタにおいて、リテーナがロックされたクイックコネクタの員数確認をするための員数チェッカーを待機位置にあるリテーナに一体的に組み付け、前記チェッカーといっしょに前記リテーナを待機位置からロック位置に押し込むことによってはじめて前記員数チェッカーが連動して該リテーナから取り外されることを特徴とするものである。
【発明の効果】
【００１０】
本発明によれば、完全結合状態でリテーナをロックしたときに、リテーナに組み付けていたチェッカーが連動して離脱するので、離脱したチェッカーを完全結合の確認に利用したり、あるいは完全したクイックコネクタの員数管理に利用することもでき、不完全結合の有無を確実にチェックすることができる。
【発明を実施するための最良の形態】
【００１１】
以下、本発明によるクイックコネクタの一実施形態について、添付の図面を参照しながら説明する。  
第１実施形態  
図１は、本発明の第１の実施形態によるクイックコネクタを示す分解斜視図である。図１において、参照番号１０は、クイックコネクタを示す。１２はクイックコネクタ１０のハウジングで、１４がリテーナを示している。１６は、リテーナ１４がロックされたことを確認をするためのチェッカーを示している。図２は、ハウジング１２に仮り組みされているリテーナ１４にチェッカー１６を組み付けた状態を示す。図３は、チェッカー１６が組み付けられていないクイックコネクタ１０および接続する相手方のチューブ１８を示す。
【００１２】
クイックコネクタ１０のハウジング１２は、相手方のチューブ１８が挿入される雌形の継手を構成するとともに、樹脂製のチューブ１３を圧入により取り付け可能なタケノコ形の圧入取付部１７が一体となっている。図３に示すように、ハウジング１２の内部には通路１９が軸方向に貫通形成されている。２０は、Ｏリングを示し、２１は、Ｏリング２０の飛び出しを防止するトップハットである。
【００１３】
図１において、ハウジング１２の先端部には、リテーナ１４を軸方向と直角な方向から挿入するためのスリット状のリテーナ挿入口２２ａ、２２ｂが形成されている。また、ハウジング１２の先端部では、左右両側にリテーナ１４の案内となる凹部２３が周方向に形成されている。
【００１４】
相手方のチューブ１８は、この実施形態では、金属製または樹脂製のチューブであって、末端から所定の距離だけ離れた位置に、外周部を周回するスプール部２４が形成されている（図３参照）。ハウジング１２のリテーナ挿入口２２ａ、２２ｂから差込まれたリテーナ１４は、このスプール部２４と係合して、相手方のチューブ１８を抜けないように拘束する。
【００１５】
図１において、リテーナ１４は、矩形状の頂部２６と、この頂部２６から両側にそれぞれ延びる一対の脚部２８を有するプラスチック製あるいは金属製の部材である。この実施形態の場合、厚さを大きく切りつめた薄型のリテーナとして構成されている。
【００１６】
リテーナ１４の脚部２８の内側には、湾曲した形状の一対のリブ３０が一体形成されている。リブ３０は、二つ合わせて全体としてＵ字形をなしおり、湾曲面の曲率は、相手方のチューブ１８の外周面の曲率とほぼ等しくなっている。したがって、ハウジング１２内に挿入された相手方のチューブ１８はリブ３０に嵌合するようになっている。リテーナ１４の脚部２８の先端部にはそれぞれ爪３２が形成され、リテーナ１４が図４（ａ）に示す仮止めの待機位置にあるときは、この爪３２は、ハウジング１２の凹部２３から突き出た突起３３に係合するので、リテーナ１４は、引っ張っても抜けることはなく、押す方向（ロックする方向）にのみリテーナ１４を移動させることができる。
【００１７】
リテーナ１４を押し込み、ロックした状態では、リテーナ１４のリブ３０の端面はスプール部２４の拘束面となり、チューブ１８はハウジング１２から抜けないように結合される（図５（ｂ）参照）。
【００１８】
本実施形態のリテーナ１４では、相手方のチューブ１８のスプール部２４が完全に結合し得る位置関係にあることを確認するための結合確認部材３４をリテーナ１４と組み合わせ、この結合確認部材３４が一体化された構造になっている。
【００１９】
図１、図５（ａ）において、結合確認部材３４は、細長い棒状の形状を有し、リブ３０の背後に平行に延び、その先端部には検知爪３６が互いに向かい合うように形成されている。
【００２０】
一方、ハウジング１２の方には、結合確認部材３４の検知爪３６に干渉する干渉部３８が設けられている。図５（ａ）に示されるように、この干渉部３８の先端はそれぞれ結合確認部材３４の検知爪３６に当接する干渉エッジ３９になっている。
【００２１】
結合確認部材３４に力が何も作用していない状態での検知爪３６の間隔Ａは、相手方のチューブ１４のスプール部２４の直径Ｂよりも短く設定されており、チューブ１４を挿入するとスプール部２４は、必ず結合確認部材３４の検知爪３６に当たるようになっている。そして、結合確認部材３４に力が作用していない状態での検知爪３６の直下に干渉エッジ３９が位置するように設定されている。この状態でリテーナ１６を押し込もうとしても、干渉エッジ３９が干渉して押し込むことができない。
【００２２】
一方、検知爪３６に当たるスプール部２４は、結合確認部材３４に対して外側に押し拡げる力を作用させる。スプール部２４と結合確認部材３４が同一平面上で重なりあうまでチューブ１４が十分に挿入されると、検知爪３６は干渉部３８の干渉エッジ３９から外れ、結合確認部材３４はスプール部２４によって押し拡げられるようになっている。この状態になると、リテーナ１４を押し込みロックすることが可能となる（図５（ｂ））。
【００２３】
次に、リテーナ１４に組み付けられるチェッカー１６について説明する。  
図１において、チェッカー１６は、嵌合片４０と、一対の腕部４２とから構成される樹脂製の部品である。
【００２４】
嵌合片４０は、リテーナ１４の頂部２６に着脱自在に嵌り合う凹みを有している。この嵌合片４０の両側からは二本の腕部４２がハウジング１２の外周部を挟むように延びている。腕部４２の先端には係止爪４３が形成され、この係止爪４３は、ハウジング１２の外周部に設けられた引掛け孔４４に係止することができる（図５（ａ）参照）。ただし、チェッカー１６を押す方向に動かすと、係止爪４３は引っ掛け孔４４から離脱し、チェッカー１６を引くときだけ係止するようになっている。
【００２５】
腕部４２には、ハウジング１２の外周部の最大外径よりも間隔の狭い直線部分４５が形成されている。この直線部分４５があることで、チェッカー１６を押し込むと、腕部４２が押し広げられようになっている。
【００２６】
本実施形態によるクイックコネクタは、以上のように構成されるものであり、次に、その作用並びに効果について説明する。  
図４（ａ）は、リテーナ１４がハウジング１２に仮組みされて待機位置にある状態（チェッカー１６は取り付けられている）を示し、図４（ｂ）は、リテーナ１４がロック位置にある状態（チェッカー１６は取り外されている）を示す。本実施形態のクイックコネクタ１０では、リテーナ１４はチェッカー１６といっしょにハウジング１２に仮組みされる。このとき、チェッカー１６の嵌合片４０は、リテーナ１４の頂部２６に嵌っており、また、チェッカー１６の腕部４２の係止爪４３は、ハウジング１２の引掛け孔４４に係止しているので、チェッカー１６だけを外そうとしても外れないようになっている。
【００２７】
製品としてのクイックコネクタ１０は、図３に示すように、このリテーナ１４およびチェッカー１６を仮組みし、クイックコネクタ１０の圧入接続部１７に樹脂製のチューブ１３を圧入した形態の製品として出荷され、需要者に提供される。需要者が例えば、自動車の組立工場で、エンジンに燃料を供給する燃料配管の接続工程にクイックコネクタ１０を用いる場合、接続相手のチューブ１８をハウジング１２に挿入して、リテーナ１４をチェッカー１６といっしょに押し込むだけでよい。
【００２８】
図３、図５（ａ）において、接続相手のチューブ１８の端末をハウジング１２に挿入すると、スプール部２４は結合確認部材３４の検知爪３６に当接する。チューブ１８の挿入が不十分であれば、検知爪３６に干渉部３８の干渉エッジ３９が当たって干渉するので、リテーナ１４を押し込むことはできない。
【００２９】
チューブ１８をさらに挿入すると、スプール部２４は結合確認部材３４の検知爪３６を押し拡げる。そして、検知爪３６は、干渉エッジ３９から外れるので、これにより、リテーナ１６は、押し込み可能な状態になる。
【００３０】
そこで、チェッカー１６の頭部４０を押してリテーナ１４をロック位置に押し込むと、図５（ｂ）に示すように、チェッカー１６ではリテーナ１４の移動に連動して係止爪４３と引掛け孔４４との係合が解除されるとともに、腕部４２が開くことなる。この腕部４２が開くのは、直線部分４５はハウジング１２の外周部の最大外径よりも狭い間隔になっているので、開く方向にたわむからである。こうして、図５（ｃ）に示すように、チェッカー１６を取り外すことができる。
【００３１】
以後、相手方のチューブ１８とクイックコネクタ１０は、リテーナ１４によって強固に結合され、その結合状態はロックされている。
【００３２】
本実施形態のクイックコネクタによれば、リテーナ１４には、上述したように結合確認部材３４が設けられているので、相手方のチューブ１８のスプール部２４を完全結合位置にしない限りリテーナ１４を押し込めない構造になっている。このため、リテーナ１４をロック位置に押し込められチェッカー１６が外れたということ自体が完全結合していることを意味しており、リテーナ１４の外見から完全結合かそうでないかをその場で判別することできる。このようにしてチェッカー１６は、リテーナ１４がロックされない限り取り外せないため、チェッカー１６が外れたという事実をもって、リテーナ１４がロックされたことをチェックし、クイックコネクタ１０に相手方のチューブ１８が完全に結合されたことを確認することができる。
【００３３】
その上で、完全結合したクイックコネクタ１０には、いわば完全結合の証拠品として、チェッカー１６が残ることになる。燃料配管の接続にクイックコネクタ１０を使用する場合、自動車１台あたり使用するクイックコネクタ１０の員数は決まっている。したがって、取り外されたチェッカー１６の数を数えて所定の員数と照合し、それが一致していれば、クイックコネクタ１０はもれなく完全結合しているのを確認することができ、もし員数が足りなければ、配管につかったいずれかのクイックコネクタ１０に不完全結合があるとただちに判明する。このようにチェッカー１６をリテーナがロックされたクイックコネクタの員数確認用のチェッカーとしても利用することができる。そして、リテーナ１４のロックの確認と、員数の確認と二重にチェックすることができることになる。
【００３４】
第２実施形態  
次に、本発明の第２実施形態によるクイックコネクタについて、図６を参照しながら説明する。  
図６は、第２実施形態によるクイックコネクタを示す斜視図である。このうち図６（ａ）は、チェッカー５０は外れた状態の図、図６（ｂ）は、仮組みしたリテーナ１４にチェッカー５０を組み付けた状態の図である。
【００３５】
この第２実施形態では、クイックコネクタ１０のハウジング１２およびリテーナ１４は第１実施形態と同一の構成であるため、同一の構成要素には同一の参照符合を付して説明は省略する。
【００３６】
この第２実施形態のチェッカー５０は、第１実施形態のチェッカー１６と嵌合片４０は共通しているが、腕部４２の形状が異なっている。腕部４２は、ハウジング１２の外周面の輪郭に対応して湾曲した湾曲部分５１と、直線部分５２とから構成されている。湾曲部５１には、それぞれスリット５３が形成され、このスリット５３にリテーナ１４の両肩から突き出た摘み部５４が嵌り、摘み部５４は干渉しないようになっている。直線部分５２の先端には、第１実施形態と同様に係止爪４３が形成されており、また、直線部材５２の内側には、凸部５５が形成されている。
【００３７】
次に、図７は、チェッカー５０の動作を順を追って示した図である。  
まず、図７（ａ）では、リテーナ１４は待機位置にある。相手方のチューブ１８を挿入すると、そのスプール部２４は結合確認部材３４の検知爪３６を押し拡げるので、スプール部２４が結合位置に到達したところで、リテーナ１４を押し込むことが可能になる。
【００３８】
チェッカー５０とともにリテーナ１４をロック位置に押し込むと、図７（ｂ）のようになる。このとき、チェッカー５０の腕部４２先端の係止爪４３が引掛け孔４４から離脱するので、チェッカー５０を取り外せる状態になる。
【００３９】
そこで、図７（ｃ）に示すように、チェッカー５０を引くと、凸部５５がハウジング１０の外周面若しくはリテーナ１４の脚部２８に当たるために、腕部４２の全体のが撓んで開くことになる。最終的に、図７（ｄ）に示すように、係止爪４４は引っ掛かることなく、チェッカー５０を取り外すことができる。
【００４０】
以上のようにして、チェッカー５０が外れたという事実をもって、リテーナ１４がロックされたことをチェックし、クイックコネクタ１０に相手方のチューブ１８が完全に結合されたことを確認することができる。
【００４１】
また、取り外されたチェッカー５０を数えて所定の員数と照合し、それが一致していれば、クイックコネクタ１０はもれなく完全結合しているのを確認することができ、もし員数が足りなければ、配管に使ったクイックコネクタ１０のどれかに不完全結合があるとただちに判明する。このようにチェッカー５０をリテーナがロックされたクイックコネクタの員数確認用のチェッカーとしても利用することができる。そして、リテーナ１４のロックの確認と、員数の確認と二重にチェックすることができることになる。
【００４２】
第３実施形態  
図８は、本発明の第３実施形態によるクイックコネクタを示す。図８（ａ）は、チェッカー６０を外した状態の図、図８（ｂ）は、チェッカー６０を仮組みしたリテーナ１４に組み付けた状態の図である。
【００４３】
この第３実施形態では、クイックコネクタ１０のハウジング１２およびリテーナ１４は第１実施形態と同一の構成であるため、同一の構成要素には同一の参照符合を付して説明は省略する。
【００４４】
この第３実施形態のチェッカー６０は、第１実施形態のチェッカー１６や第２実施形態のチェッカー５０とは異なり腕部４２を持たない形態のチェッカーである。
【００４５】
図８において、リテーナ１４の頂部２６に嵌合するチェッカー６０の嵌合片４０には、鉤状の爪部６２が一体に形成されれている。この場合、図９（ａ）に示すように、爪部６２には、リテーナ１４の頂部２６に係止する係止部６４が形成されている。係止部６４から先は、傾斜面６５になっている。チェッカー６０は、図８（ｂ）に示すように、リテーナ１４に組み付けると、爪部６２の係止部６４はリテーナ１４の頂部２６に係止するので、リテーナ１４との係合状態が保持される。
【００４６】
そこで、チェッカー６０といっしょにリテーナ１４をロック位置に押し込むと、図９（ｂ）に示すように、爪部６２の先端の傾斜面６５がハウジング１０の上面に当たって、爪部６２の全体が反り返るように撓むことになる。そして、リテーナ１４がロック位置に到達すると、チェッカー６０とリテーナ１４との係合状態は解除され、チェッカー６０を取り外すことができ、チェッカー６０が外れたという事実をもって、リテーナ１４がロックされたことを確認することができる。
【００４７】
また、以上のようにして取り外されたチェッカー６０の数を数えて所定の員数と照合し、員数と一致していれば、クイックコネクタ１０はもれなく完全結合しているのを確認することができ、もし員数が足りなければ、配管に使ったクイックコネクタ１０のどれかに不完全結合があるとただちに判明する。このようにチェッカー６０をリテーナがロックされたクイックコネクタの員数確認用のチェッカーとしても利用することができる。そして、リテーナ１４のロックの確認と、員数の確認と二重にチェックすることができることになる。
【００４８】
以上、本発明について、好適な実施形態を挙げて説明したが、本発明に係るチェッカーは、リテーナがロックされたのを確認するチェッカーとしても、クイックコネクタの員数チェッカーとしても利用することができ、また、両者を兼ねたチェッカーとしても利用することができるのはもちろんである。
【図面の簡単な説明】
【００４９】
【図１】本発明の第１実施形態によるクイックコネクタの分解斜視図である。
【図２】第１実施形態によるクイックコネクタにおいて、チェッカーを組み付けた状態の斜視図である。
【図３】第１実施形態によるクイックコネクタの一部断面側面図である。
【図４】第１実施形態によるクイックコネクタにおいて、図５（ａ）は、リテーナが待機位置にある状態を示し、図５（ｂ）はリテーナをロック位置に押し込んだ状態を示す側面図である。
【図５】第１実施形態によるクイックコネクタにおけるチェッカーの動作の説明図である。
【図６】本発明の第２実施形態によるクイックコネクタの斜視図である。
【図７】第２実施形態によるクイックコネクタにおけるチェッカーの動作の説明図である。
【図８】本発明の第３実施形態によるクイックコネクタの斜視図である。
【図９】第３実施形態によるクイックコネクタにおけるチェッカーの動作の説明図である。
【符号の説明】
【００５０】
１０  クイックコネクタ
１２  ハウジング
１４  リテーナ
１６  チェッカー
１８  チューブ
２４  スプール部
３０  リブ
３４  結合確認部材
３６  検知爪
３８  干渉部
３９  干渉エッジ
４０  嵌合片
４２  腕部
４３  係止爪
４５  直線部分
５０  チェッカー
６０  チェッカー
【図１】
2010078077.tif 000003
【図２】
2010078077.tif 000004
【図３】
2010078077.tif 000005
【図４】
2010078077.tif 000006
【図５】
2010078077.tif 000007
【図６】
2010078077.tif 000008
【図７】
2010078077.tif 000009
【図８】
2010078077.tif 000010
【図９】
2010078077.tif 000011